(57)【要約】【課題】  所望するモード画面を簡単に呼び出すことのできる眼科撮影装置を提供する。【解決手段】  被検眼を撮影するために被検眼像を表示する第１のモード画面と撮影後に得られた被検眼画像を表示する第２のモード画面の少なくとも２つのモード画面を同一のモニタを用いて切換表示する眼科撮影装置であって、前記モード画面を選択的に切り換えるために前記モニタの画面上に表示されるモード選択手段と、該モード選択手段から所望するモード画面を指定する指定手段と、前記モード選択手段から所望するモード画面が指定された際に，前記モード選択手段の画面表示を維持しつつさらに前記指定されたモード画面に関連した複数の選択項目をリスト形式にて同一画面上に表示する表示手段と、を有している。【選択図】      図５
2005160521.tif 000002
【特許請求の範囲】
【請求項１】
被検眼を撮影するために被検眼像を表示する第１のモード画面と撮影後に得られた被検眼画像を表示する第２のモード画面の少なくとも２つのモード画面を同一のモニタを用いて切換表示する眼科撮影装置であって、前記モード画面を選択的に切り換えるために前記モニタの画面上に表示されるモード選択手段と、該モード選択手段から所望するモード画面を指定する指定手段と、前記モード選択手段から所望するモード画面が指定された際に，前記モード選択手段の画面表示を維持しつつさらに前記指定されたモード画面に関連した複数の選択項目をリスト形式にて同一画面上に表示する表示手段と、を有していることを特徴とする眼科撮影装置。
【請求項２】
請求項１の眼科撮影装置において、前記モード選択手段は、同じ選択内容にて前記第１のモード画面上及び第２のモード画面上の何れにも表示されていることを特徴とする眼科撮影装置。
【請求項３】
請求項１の眼科撮影装置は、前記リスト形式にて表示された複数の選択項目のうちの一つを指定することにより、前記モニタのモード画面表示を前記指定された選択項目に対応するモード画面に切り換えるとともに、前記指定された選択項目に設定された駆動条件に従って前記眼科撮影装置の駆動条件を設定制御する制御手段を有することを特徴とする眼科撮影装置。
【発明の詳細な説明】
【技術分野】
【０００１】
本発明は、患者眼の観察、撮影を行い、撮影された患者眼の画像を表示するモニタを有する眼科撮影装置に関する。
【背景技術】
【０００２】
従来、モニタに患者眼を表示させ、被検眼の観察、撮影を行う眼底カメラ等の眼科撮影装置が知られている。このような眼科撮影装置においては、アライメント動作や撮影後の被検眼画像の確認等を行う場合、モニタの表示画面を所望するモードに切り換えて表示させている（特許文献１参照）。
【特許文献１】特開２００２−１２５９３３
【発明の開示】
【発明が解決しようとする課題】
【０００３】
このような眼科撮影装置においては、被検者の登録、撮影前における撮影条件の設定や撮影後の画像の管理等の作業を同じモニタの画面にて行う必要があるため、その都度、モニタのモード画面の表示を切り換えている。しかしながら、所望する作業内容によっては必要とするモード画面を呼び出すために、表示画面を複数回切り換える作業を行わなければならないことが多く、非常に手間のかかるものとなっていた。
本発明は、上記従来技術の問題点に鑑み、所望するモード画面を簡単に呼び出すことのできる眼科撮影装置を提供することを技術課題とする。
【課題を解決するための手段】
【０００４】
上記課題を解決するために、本発明は以下のような構成を備えることを特徴とする。
（１）  被検眼を撮影するために被検眼像を表示する第１のモード画面と撮影後に得られた被検眼画像を表示する第２のモード画面の少なくとも２つのモード画面を同一のモニタを用いて切換表示する眼科撮影装置であって、前記モード画面を選択的に切り換えるために前記モニタの画面上に表示されるモード選択手段と、該モード選択手段から所望するモード画面を指定する指定手段と、前記モード選択手段から所望するモード画面が指定された際に，前記モード選択手段の画面表示を維持しつつさらに前記指定されたモード画面に関連した複数の選択項目をリスト形式にて同一画面上に表示する表示手段と、を有していることを特徴とする。
（２）  （１）の眼科撮影装置において、前記モード選択手段は、同じ選択内容にて前記第１のモード画面上及び第２のモード画面上の何れにも表示されていることを特徴とする。
（３）  （１）の眼科撮影装置は、前記リスト形式にて表示された複数の選択項目のうちの一つを指定することにより、前記モニタのモード画面表示を前記指定された選択項目に対応するモード画面に切り換えるとともに、前記指定された選択項目に設定された駆動条件に従って前記眼科撮影装置の駆動条件を設定制御する制御手段を有することを特徴とする。
【発明の効果】
【０００５】
本発明によれば、簡単な操作にて所望するモード画面の呼び出しを行うことができ、装置の操作性を向上させることができる。
【発明を実施するための最良の形態】
【０００６】
本発明の実施の形態を図面に基づいて説明する。図１は本発明に係る眼科撮影装置の一種である眼底カメラの外観を示した構成図である。
基台５０の被検者側には顔支持ユニット５１が取り付けられ、基台５０の上部には前後左右に移動可能な移動台５２が取り付けられている。移動台５２上には撮影のための光学系を内部に持つ撮影部５３が上下移動可能に搭載されている。移動台５２の前後左右の移動と撮影部５３の上下移動は、移動台５２の検者側に設けられたジョイスティック５４の操作により行われる。ジョイスティック５４の頂部には撮影スイッチ５４ａが設けられている。撮影部５３の検者側には観察像や撮影像を表示する液晶のカラーモニタ５５が、移動台５２上にはモニタ５５に表示される作業画面を種々のモード画面に切り換えるための切り換えスイッチ５６が設けられている。
図２は本眼底カメラの光学系及び制御系を示した図である。光学系は照明光学系１、撮影光学系２、観察光学系３、を備える。
【０００７】
＜照明光学系＞  観察用光源であるハロゲンランプ１０から出射される光束は、赤外フィルタ１１を通り赤外光束とされた後、コンデンサレンズ１２、ハーフミラー１５を経てリングスリット１６を照明する。また、撮影用光源であるフラッシュランプ１３から出射される可視光束は、コンデンサレンズ１４、ハーフミラー１５経て観察用の赤外光束と同軸に合成され、リングスリット１６を照明する。
リングスリット１６の光束は、リレーレンズ１７ａ、ミラー１８、黒点板１９、ビームスプリッタ４８、リレーレンズ１７ｂを経た後、穴開きミラー２１の周辺面で反射される。穴開きミラー２１で反射したリングスリット光束は、対物レンズ２０により被検眼Ｅの瞳孔付近で一旦収束した後、拡散して被検眼眼底部を一様に照明する。
【０００８】
＜撮影光学系＞  撮影光学系２は、対物レンズ２０、撮影絞り２２、光軸方向に移動可能なフォーカシングレンズ２３、結像レンズ２４、ダイクロイックミラー２５、静止画撮影用のデジタルカラーＣＣＤカメラ２６を備え、ダイクロイックミラー２５は赤外光を反射し、可視光を透過する特性を有する。眼底からの反射光束は、対物レンズ２０、穴開きミラー２１の開口部、撮影絞り２２ｂ、フォーカシングレンズ２３、結像レンズ２４、ダイクロイックミラー２５を介してＣＣＤカメラ２６に入射し、その撮像素子面上に眼底像を結像する。
【０００９】
＜観察光学系＞  観察光学系３は、撮影光学系２の対物レンズ２０からダイクロイックミラー２５までを共用し、ダイクロイックミラー２５によって赤外光の光路が分岐される。ダイクロイックミラー２５によって反射された眼底からの赤外反射光束は、リレーレンズ３０、ミラー３１を経た後、赤外域に感度を有する観察用ＣＣＤカメラ３２に入射し、その撮像素子面上に眼底像を結像する。
【００１０】
＜制御系＞  ４０は眼底カメラの駆動制御等を行うための制御部であり、ＣＣＤカメラ３２及びＣＣＤカメラ２６の出力は制御部４０に入力される。制御部４０はモニタ５５に接続され、ＣＣＤカメラ３２により得られる観察用の動画像がモニタ５５に表示される。ＣＣＤカメラ２６により得られた静止画像は制御部４０が持つ一時記憶用のメモリ４１に記憶され、メモリ４１に記憶された画像はモニタ５５に表示される。また、制御部４０には、撮影スイッチ５４ａ、切換スイッチ５６、データ記憶部４２等が接続されている。
なお、切り換えスイッチ５６は、モニタ８上に表示される複数のモード選択ボタンや撮像した眼底画像を選択するために用いられる十字キー５６ａと、選択したモード選択ボタンや眼底画像を決定するための決定スイッチ５６ｂからなる。また、制御部４０にはハロゲンランプ１０、フラッシュランプ１３も接続されており、この制御部４０によって照明光の点灯制御や、その光量を調節することができるようになっている。
【００１１】
次に、上述した構成を備える眼底カメラにおいて、各種のモード画面に切り換えるための一連の動作について説明する。
【００１２】
図３はモニタ５５に、被検眼を観察し撮影するためのアライメントモード画面を表示させた例を示している。図示するようにモニタ５５の画面中央には、前述した観察光学系３によって得られた被検眼の眼底画像Ｅａ（観察用動画）が表示される。また、画面上端には、モニタ５５に表示する作業画面（モード画面）を切り換えるためのモード選択ボタン（項目）が、横一列に形成されている。図に示すように、モード選択ボタンは、紙面向かって左からAlignmentモード選択ボタン６０，Imageモード選択ボタン６１，File  selectモード選択ボタン６２，Set  upモード選択ボタン６３の４つのボタンからなる。
【００１３】
Alignmentモード選択ボタン６０にて呼び出されるアライメントモード画面は、被検眼眼底の撮影画像（動画）をモニタ５５に表示させ、操作者がモニタ５５に表示されている眼底像を観察、撮影するために用いられる。Imageモード選択ボタン６１にて呼び出されるイメージモード画面は、直前に撮影した眼底画像の確認、保存、消去等を行うために用いられる。File  selectモード選択ボタン６２にて呼び出されるファイルモード画面は、データ記憶部２２に記憶した複数の眼底画像を画面に表示させ、確認、消去等を行うために用いられる。Set  upモード選択ボタン６３にて呼び出されるセットアップモード画面は、装置全般に係る各種設定を行うために用いられる。
【００１４】
これらのモード選択ボタンを選択、指定する場合には、初めに前述した切り換えスイッチ５６の十字キー５６ａの上矢印キーを用いることにより、左端のモード選択ボタン（ここではAlignmentモード選択ボタン３０）が選択表示された状態にしておく。その後、十字キー５６ａの左右矢印キーを用いて所望するモード選択ボタンを選択し、決定スイッチ５６ｂにて選択したモード選択ボタンの指定をすることができる、このように画面上端に形成されているモード選択ボタンから所望するモード選択ボタンを指定すると、制御部４０は指定されたモード選択ボタンに用意されているさらに詳細な選択項目をリスト形式にて画面上に表示させる。十字キー５６ａによるモード選択ボタンの選択表示は、モード選択ボタンが反転表示又は強調表示等することにより、操作者に認識できるようになっている。また、本実施形態では、詳細な選択項目をプルダウンのリスト形式にてモニタ５５の画面に表示させるようにしている。
【００１５】
図４はAlignmentモード選択ボタン６０を指定した際に、表示される詳細な選択項目を示した図である。Alignmentモード選択ボタン６０にてさらに詳細に選択できる項目として、照明光の光量を設定するための「照明光量」項目、フラッシュ光源の光量を設定するための「フラッシュ光量」項目、装置外部の固視灯を用いるか装置内部の固視灯を用いるかの選択をするための「固視灯」項目、被検者の名前、ＩＤ番号、性別等の個人情報を入力する入力画面を表示させるための「ＩＤ入力」項目等、のアライメントモード画面に関連した選択項目が用意されている。なお、「照明光量」項目、「フラッシュ光量」項目、「固視灯」項目を指定すると、さらに詳細な選択項目が階層的に表示される。図４に示すように、例えば選択項目「照明光量」を指定すると、その右側に照明光を無くす「ＯＦＦ」項目や、照明光量のレベルが段階的に設定された「Ｌｅｖ．１」項目、「Ｌｅｖ．２」項目…等が表示される。
【００１６】
また、Imageモード選択ボタン６１にてさらに詳細に選択できる項目として、撮影した眼底像をメモリ１１に記憶させるための「保存」項目、撮影した眼底像を消去させるための「消去」項目、撮影の情報（左右眼情報、ＩＤ番号等の個人情報、その他の撮影条件情報等）をどの程度画面に表示させるかを選択するための「情報表示」項目、直前に撮影した眼底像或いは選択した眼底画像を所定の倍率で表示させるための「ズーム」項目、前述した「ＩＤ入力」項目等、イメージモード画面に関連した選択項目が用意されている。なお、「情報表示」項目、「ズーム」項目では、さらに詳細な選択項目が階層的に表示される。
【００１７】
File  selectモード選択ボタン６２にてさらに詳細に選択できる項目として、メモリ１１に記憶させた眼底画像をサムネイル形式で表示させるための「サムネイル表示」項目、眼底画像をリスト形式で表示させるための「リスト表示」項目、選択した眼底画像を消去するための「消去」項目、所望する眼底画像を抽出するための「検索」項目等、ファイルモード画面に関連した選択項目が用意されている。
また、Set  upモード選択ボタン６３にてさらに詳細に選択できる項目として、眼底カメラに内蔵されている時計機能を設定するための「時刻設定」項目、全ての設定条件を出荷時の設定に戻すための「初期化」項目等、セットアップモード画面に関連した選択項目が用意されている。
【００１８】
このようなモード選択ボタンは、モニタ５５の画面がどのようなモード画面（表示画面）に切り換わっていても、その表示画面の上端に形成されているとともに、その選択内容はどの表示画面においてもすべて同じ内容となっている。したがって、図５に示すように各モード画面同士がすべて相互にリンクされた状態となっているため、所望するモード画面を呼び出すために複数回画面を切り換えることなく、現在の表示画面（モード画面）から所望するモード画面に直ちに切り換えることが可能である。
【００１９】
例えば、図３に示すアライメントモード画面を表示させた状態で撮影スイッチ５４ａを押し、被検眼眼底Ｅを撮影すると、制御部４０はＣＣＤカメラ２６にて撮影したした被検眼眼底像を眼底画像Ｅｂとしてメモリ４１取り込むと同時に、自動的に図６に示すイメージモード画面に切り換えて、取り込んだ眼底画像Ｅｂをモニタ５５の画面にカラー画像で表示する。ここで撮影した眼底画像を保存したい場合には、画面上端のImageモード選択ボタン６２を十字キー５６ａを用いて選択し、決定スイッチ５６ｂを一回押してイメージモードの「保存」項目をプルダウン表示させる。さらに操作者は十字キー５６ａを用いて「保存」項目を選択し、決定スイッチ５６ｂを一回押し、選択項目の指定を行う。「保存」項目の指定がなされると、制御部４０はモニタ５５に表示している眼底画像Ｅｂを事前に入力しておいた個人情報や撮影条件等のデータとともにデータ記憶部４２に記憶させる。
【００２０】
再び、被検眼眼底の撮影を行いたい場合には、十字キー５６ａ、決定スイッチ５６ｂにてAlignmentモード選択ボタン６０を指定した後、さらに決定スイッチ５６ｂにてもう一度Alignmentモード選択ボタン６０を指定する。モード選択ボタン自体が決定スイッチ５６ｂにより２回指定されると、制御部４０はモード選択ボタン６０をモード画面を切り換えるための実行ボタンとして機能させ、モニタ５５の表示画面を図３に示したアライメントモード画面に切り換える。
【００２１】
また、図６に示したイメージモード画面から、前回の撮影時と比べて照明光量を変えた状態でアライメント画面に移行し、撮影を行いたい場合には、イメージモード画面にてAlignmentモード選択ボタン６０を指定し、詳細な選択項目をプルダウン表示させた後、「照明光量」項目を指定してさらに下の階層に用意されている「Ｌｅｖ．１」項目，「Ｌｅｖ．２」項目等から所望する照明光量レベルを指定する。所望する照明光量レベルが指定されると、制御部４０はその照明光量を発するようにハロゲンランプ１０点灯を制御するとともに、モニタ５５の表示画面をアライメントモード画面に切り換える。
【００２２】
また、別のモード画面切り換えの一例として、「アライメントモード画面から、直前に撮影した眼底画像を２倍の大きさでモニタ５５に表示させたい」という場合であっても、図７に示すように、アライメントモードの画面表示にて、Imageモード選択ボタン６１から「ズーム」項目、さらに「×２」項目を選択、指定するだけでよい。このような指定が行われると、制御部４０はアライメントモード画面から、図８に示すような直前に撮影された眼底画像がモニタ８上に２倍の倍率で表示された状態のイメージモード画面を直接呼び出し、表示させる。
このように、現在のモード画面から単に異なるモード画面への切換だけでなく、モード画面の切り換え時にすでに所望する条件が設定されたモード画面を呼び出すことができるため、作業効率が格段に向上する。
【００２３】
以上の実施形態では、アライメントモード画面とイメージモード画面との切り換えを例にとり、説明したがこれに限るものではなく、モニタ５５の画面上端に表示されているモード選択ボタンに対応した全てのモード画面に対して、このような切り換え作業を行うことができる。また、詳細な条件設定は行わず単に各モード画面を切り換え表示したい場合には、前述したようにモード選択ボタンを２回指定することにより、各モード画面を呼び出すことができる。
【００２４】
なお、本実施の形態ではこのようにモード選択ボタンを２回指定することにより、モード画面の切り換えを実行することができるとしているが、これに限るものではなく、各モード画面を選択、指定することができるような構成であればよい。例えば、パーソナルコンピュータ等に用いるマウスを用いてモニタに表示されるカーソルを所望するモード選択ボタン上に位置させた状態にしておく。次にマウスのクリックボタンを押しつづけることによって、詳細な選択項目をプルダウン表示させつつ、所望する選択項目（モード画面を切り換えるだけならモード選択ボタン上）まで移動させておき、その後クリックボタンを離すことにより、その選択項目を実行させるようにすることもできる。
【００２５】
さらにまた、本実施の形態では眼底カメラを例に取り説明したが、これに限るものではない。例えば被検眼の前眼部を撮影する前眼部撮影装置等のように、被検眼を撮影するためにモニタに被検眼を表示し、その後撮影した被検眼像を同一のモニタに表示するような眼科撮影装置において、モニタに表示させる各種のモード画面を適宜切り換えて行うことが必要となる眼科撮影装置にも本発明を適用することができる。
【図面の簡単な説明】
【００２６】
【図１】本実施形態の眼底カメラの外観を示した図である。
【図２】本実施形態の眼底カメラの光学系及び制御系を示した図である。
【図３】アライメントモード画面の表示状態を示した図である。
【図４】アライメントモード画面において、詳細な選択項目を表示させた状態を示した図である。
【図５】各モード画面が相互にリンクしている状態を示した図である。
【図６】イメージモード画面の表示状態を示した図である。
【図７】アライメントモード画面において、詳細な選択項目を表示させた状態を示した図である。
【図８】イメージモード画面の表示状態を示した図である。
【符号の説明】
【００２７】
４０  制御部
４１  メモリ
４２  データ記憶部
５３  撮影部
５５  モニタ
５６  切換スイッチ
６０  Alignmentモード選択ボタン
６１  Imageモード選択ボタン
６２  File  selectモード選択ボタン
６３  Set  upモード選択ボタン
【図１】
2005160521.tif 000003
【図２】
2005160521.tif 000004
【図３】
2005160521.tif 000005
【図４】
2005160521.tif 000006
【図５】
2005160521.tif 000007
【図６】
2005160521.tif 000008
【図７】
2005160521.tif 000009
【図８】
2005160521.tif 000010